【手続補正書】
【提出日】平成17年7月27日(2005.7.27)
【手続補正１】
【補正対象書類名】明細書
【補正対象項目名】特許請求の範囲
【補正方法】変更
【補正の内容】
【特許請求の範囲】
【請求項１】  一連のコマと、両方の縁部に沿って複数のパーフォレーションを有するフィルムを、映画映写機を通って送るフィルム映写機運動機構であって、
前記パーフォレーションに噛み合い、前記映写機を通ってフィルムを移動させる歯を有する複数のスプロケットと、
前記フィルムを、前記映写機の開口を通過して１コマ単位で移動させる断続送り機構と、
前記スプロケットを回転させ、前記断続送り機構を作動させる駆動要素と、
前記駆動要素を制御し、かつ、前記フィルムの各コマの区間に存在するパーフォレーションの数に関するフィルムのフォーマットに基づいて、または、毎秒当たりのコマ数で表される映写コマ送り速度に基づいて、前記スプロケットの回転速度と、前記断続送り機構の位置決めとを維持し、または変化させるコントローラと
を有するフィルム映写機運動機構。
【請求項２】  前記複数のスプロケットは１対の定速度スプロケットを含み、該１対の定速度スプロケットのそれぞれは、前記開口の各側にあって、前記パーフォレーションと噛み合い、かつ、前記映写機を通って前記フィルムを移動させる歯を有する、請求項１に記載のフィルム映写機運動機構。
【請求項３】  前記断続送り機構は、前記パーフォレーションに噛み合い、かつ、前記フィルムを、前記開口を通過して１コマ単位で断続的に送る歯を有する断続スプロケットを含んでいる、請求項２記載のフィルム映写機運動機構。
【請求項４】  前記駆動要素が、
前記１対の定速度スプロケットを回転させる回転出力を有する第１のモータと、
前記断続スプロケットを断続的に回転させる回転出力を有する第２のモータと、
シャッターを回転させる回転出力を有する第３のモータと
を有する、請求項３記載のフィルム映写機運動機構。
【請求項５】  前記第１のモータはサーボモータを含み、前記第２のモータはサーボモータを含む、請求項４に記載のフィルム映写機運動機構。
【請求項６】  前記コントローラは、前記第１と第２のモータを制御、かつ調整し、そして、前記第１と第２のモータの出力、したがって、前記１対のスプロケットの回転速度と断続スプロケットの位置決めをそれぞれ個別に変更するトリガー信号に応答し、
前記トリガー信号は、前記映写機中のフィルムが、各コマの区間にあるフィルム上のパーフォレーションの数が第１の所定数であるフォーマットから、各コマの区間にあるフィルム上のパーフォレーションの数が第２の所定数であるフォーマットへ変化した時を示す、請求項５に記載のフィルム映写機運動機構。
【請求項７】  前記コントローラは前記第３のモータを制御、かつ調整し、そして、前記第３のモータの出力、したがって、前記シャッターの回転速度を変化させるトリガー信号に応答し、前記トリガー信号は、前記映写機中のフィルムが第１の所定のコマ送り速度で送られるモードから該フィルムが第２の所定のコマ送り速度で送られるモードへ、前記フィルムが変化した時を示す、請求項５に記載のフィルム映写機運動機構。
【請求項８】  前記コントローラは、前記トリガー信号に応答して、第１の「割り出し」フィルム送りを実行するために前記第２のモータの出力を制御し、該第１の「割り出し」フィルム送りの長さは、送り出されるフィルムのフォーマットと到来するフィルムのフォーマットとのコマ高さによって定められ、後続のフィルム送りの出力は、到来するフォーマットのコマの高さに対応する長さをもつ、請求項７記載のフィルム映写機運動機構。
【請求項９】  前記トリガー信号は、前記フィルムの各コマの区間にあるパーフォレーションの数に基づいている、請求項８記載のフィルム映写機運動機構。
【請求項１０】  前記トリガー信号が前記映写機の動作中に電子的、磁気的、光学的、または機械的手段によって自動的に生成させられる、請求項９記載のフィルム映写機運動機構。
【請求項１１】  前記トリガー信号が手動により生成される、請求項９記載のフィルム映写機運動機構。
【請求項１２】  前記断続送り機構が回転する歯型スプロケット以外の機構を有する、請求項２に記載のフィルム映写機運動機構。
【請求項１３】  前記断続送り機構が前記フィルムを断続的に送るために回転するか、または、往復運動を発生する、請求項１２に記載のフィルム映写機運動機構。
【請求項１４】  前記駆動要素が、
前記１対の定速度スプロケットを回転させる回転出力を有する第１のモータと、
前記断続送り機構を作動する回転出力または往復運動出力を有する第２のモータと、
シャッターを回転させる回転出力を有する第３のモータとを有する、
請求項１３に記載のフィルム映写機運動機構。
【請求項１５】  前記駆動要素が、
前記１対の定速度スプロケットを回転させる回転出力を有する第１のモータと、
前記断続送り機構と前記シャッターとを作動させる回転出力または往復運動出力を有する第２のモータと、
を有する、請求項１３に記載のフィルム映写機運動機構。
【請求項１６】  一連の、画像をもつコマと、両方の縁部に沿って複数のパーフォレーションとを有するフィルムを送る、映画フィルム映写機におけるフィルム映写機運動機構であって、
前記パーフォレーションに噛み合って前記映写機の開口を通過して１コマ単位で前記フィルムを送る断続送り機構と、
それぞれ前記開口と前記断続送り機構との各側にあって、前記パーフォレーションと噛み合い、前記断続送り機構と協働して前記映写機を通ってフィルムを送る歯を有する１対の定速度スプロケットと、
前記１対の定速度スプロケットを回転させる回転出力をもつ第１のモータと、
前記断続送り機構を作動させる、回転出力または往復運動出力を有する第２のモータと、
シャッターを回転させる回転出力を有する第３のモータと、
前記第１のモータの回転出力を制御、かつ調整する第１のコントローラであって、前記映写機のフィルムが、各コマの区間にあるフィルム上のパーフォレーションの数が第１の所定数である第１のフィルムフォーマットから、各コマの区間にあるフィルム上のパーフォレーションの数が第２の所定数である第２のフィルムフォーマットへ変化すると前記１対の定速度スプロケットの回転速度を変化させ、または維持するために、前記映写機の動作を実質的に中断しないで前記第１のモータの回転出力を変化させ、または、維持する第１のコントローラと、
を有し、
前記第１のコントローラは、さらに、前記第３のモータを制御、かつ調整し、前記第３のモータの出力、従って、前記第３のモータの回転速度を変化させるトリガー信号に応答し、該トリガー信号は、前記映写機内のフィルムが第１の所定のコマ送り速度で送られるモードから、該フィルムが第２の所定のコマ送り速度で送られるモードへ、該フィルムが変化した時を示し、
前記トリガー信号に応答して、第１の割り出しフィルム送りを実行するために前記第２のモータの出力を制御し、前記第１の割り出しフィルム送りの長さは、送り出されるフィルムのフォーマットと到来するフィルムのフォーマットとのコマ高さによって定められ、後続のフィルム送りの出力は、到来するフォーマットのコマの高さに対応する長さをもつ第２のコントローラ、
を有するフィルム映写機運動機構。
【請求項１７】  両方の縁部に沿ってパーフォレーションを有し、該パーフォレーションの間にコマを有するフィルムを、映写機を通って送るフィルム映写機運動機構であって、
前記映写機を通ってフィルムを送る複数のスプロケットおよび１つの断続運動装置と、
選択された速度で前記スプロケットを回転させ、前記断続運動装置を作動させ、かつ、前記映写機内の開口を通過して１フレーム単位で、断続的にフィルムを位置決めするモータ手段と、
前記モータ手段を制御し、かつ、フィルム上の各コマの区間にあるパーフォレーションの数に関するフィルムのフォーマットと、毎秒あたりのコマ数で表される映写コマ送り速度に基づいて、前記断続運動装置の運動と、前記スプロケットの回転速度と、前記フィルムの送りを変化させ、または、維持するコントロール手段と、
前記モータ手段を制御し、到来するフィルムのフォーマットの適正なコマ送りを生成するために、送り出されるフィルムフォーマットと到来するフィルムフォーマットのコマ高さに基づいて、最初の割り出し運動を行うコントロール手段とを有する
フィルム映写機運動機構。
【請求項１８】  フィルムを送る複数のスプロケットを回転させる駆動要素と、開口を通過して１コマ単位でフィルムを送る断続運動装置とを有する映写機を通ってフィルムを送る方法であって、
前記フィルム上の各コマの区間にあるパーフォレーションの数に関するフィルムフォーマットを定め、
前記開口を通過する１秒当たりのコマ数で表されるフィルムコマ送り速度を定め、前記フィルムフォーマットに基づいて、前記スプロケットの回転速度および前記断続運動装置の運動を維持するか、または、変化させるように、前記駆動要素を制御する、
映写機を通ってフィルムを送る方法。
【請求項１９】  フィルムを一様な速度で送るために、該フィルム上のパーフォレーションと噛み合う１対の定速度スプロケットと、映写機中の開口を通過してフィルムを１コマ単位で送る断続運動装置とを有し、第１のモータが前記定速度スプロケットを回転させる回転出力を有し、第２の駆動要素が、前記断続運動装置を位置決めする出力を有し、第３のモータが、シャッターを回転させる回転出力を有する映写機を通ってフィルムを送る方法であって、
前記フィルム上の各コマの区間毎に測られるパーフォレーションの数で、到来するフィルムのコマ高さを決定し、
送り出されるフィルムのフォーマットのコマ高さと到来するフィルムのフォーマットのコマ高さに基づいて第１の割り出し運動を決定し、
前記開口を通過する１秒当たりのコマ数でフィルムコマ送り速度を決定し、
前記フィルムフォーマットに基づいて前記第１のモータの回転出力と前記定速度スプロケットの回転速度を制御し、
前記第１の割り出し運動と、到来するフィルムのフォーマットに基づいて、前記第２の駆動要素の出力と、前記断続運動装置の位置決めを制御し、
前記フィルムのコマ送り速度に基づいて、前記第３のモータの出力と前記断続運動装置の運動を制御する、
映写機を通ってフィルムを送る方法。
【請求項２０】  前記フィルムフォーマットとコマ送り速度に基づき、前記第１、第２、第３のモータの出力を制御するトリガー信号を生成することをさらに含んでいる、請求項１９に記載の方法。
【請求項２１】  前記フィルムフォーマットとコマ送り速度を識別する情報を前記フィルム上にエンコードし、次に、前記トリガー信号を生成するために、前記情報を検出することをさらに含んでいる、請求項２０に記載の方法。
【請求項２２】  前記トリガー信号に基づいて、前記第１のモータの回転出力を制御する第２の信号を発生するコントローラに前記トリガー信号を送ることをさらに含んでいる、請求項２１に記載の方法。
【請求項２３】  複数のトリガーストリップを、前記フィルム上のフィルムフォーマットまたはコマ送り速度の変化に対応する位置に設け、変化したフィルムフォーマットまたはコマ送り速度を識別する情報を該トリガーストリップ上にエンコードし、前記トリガー信号を生成するために該情報を検出することをさらに含んでいる、請求項２２に記載の方法。